(57)【要約】      （修正有）【課題】安全な通信チャネルを確立する能力のある、送信デバイスと受信デバイスとの間で伝達される、保護されたデジタルコンテンツ制御情報に関連するステータスメッセージを決定し、表示するための方法および装置を提供する。【解決手段】保護された入出力ポートの使用により、ステータスメッセージは、送信デバイスのディスプレイ制御パネル、または、受信デバイスのオンスクリーンディスプレイを含む、複数の構成を通して、ユーザに提示することができる。本発明の方法は、ユーザにとっての潜在的な混乱および不満を減少させることができる。【選択図】図１
2007043659.tif 000002
【特許請求の範囲】
【請求項１】
デジタルコンテンツに関連する情報を提供するシステムにおいて、
保護されたデジタルコンテンツ信号と前記保護されたデジタルコンテンツ信号に関係する制御情報とを発生させるように動作可能な情報取扱システムと、
前記保護されたデジタルコンテンツ信号と前記関係する制御情報とを受信するよう動作可能であり、前記制御情報を利用して、前記保護されたデジタルコンテンツ信号に関連するステータス情報を表示するようにさらに動作可能なディスプレイと
を具備するシステム。
【請求項２】
前記ディスプレイデバイスはオンスクリーンディスプレイを備えている、請求項１記載のシステム。
【請求項３】
前記ディスプレイデバイスはコントロールパネルを備えている、請求項１記載のシステム。
【請求項４】
前記ディスプレイは、ディスプレイのコンテンツ制御能力に関連するステータス情報を提供する、請求項１記載のシステム。
【請求項５】
前記ディスプレイは、コンテンツの鍵ステータスに関連するステータス情報を提供する、請求項１記載のシステム。
【請求項６】
前記ディスプレイは、現在のコンテンツ保護モードに関連するステータス情報を提供する、請求項１記載のシステム。
【請求項７】
前記制御情報は安全な通信チャネルを通して提供される、請求項１記載のシステム。
【請求項８】
前記関係する制御情報は、距離延長データケーブル（ＥＤＤＣ）チャネルにしたがって提供される、請求項７記載のシステム。
【請求項９】
前記関係する制御情報は、ディスプレイデータチャネル／コマンドインターフェイス（ＤＤＣ／ＣＩ）にしたがって提供される、請求項８記載のシステム。
【請求項１０】
前記関係する制御情報は、モニター制御コマンドセット（ＭＣＣＳ）にしたがって提供される、請求項８記載のシステム。
【請求項１１】
前記関係する制御情報は、拡張ディスプレイ識別データ（ＥＤＩＤ）にしたがって提供される、請求項８記載のシステム。
【請求項１２】
デジタルコンテンツに関連する情報を提供する方法において、
情報取扱システムを使用して、保護されたデジタルコンテンツ信号と前記保護されたデジタルコンテンツ信号に関係する制御情報とを発生させることと、
前記保護されたデジタルコンテンツ信号と前記関係する制御情報とをディスプレイで受信することとを含み、
前記制御情報を利用して、前記保護されたデジタルコンテンツ信号に関連するステータス情報を表示するように前記ディスプレイは動作可能である方法。
【請求項１３】
前記ディスプレイはオンスクリーンディスプレイを備えている、請求項１２記載の方法。
【請求項１４】
前記ディスプレイデバイスはコントロールパネルを備えている、請求項１２記載の方法。
【請求項１５】
前記ディスプレイは、ディスプレイのコンテンツ制御能力に関連するステータス情報を提供する、請求項１２記載の方法。
【請求項１６】
前記ディスプレイは、コンテンツの鍵ステータスに関連するステータス情報を提供する、請求項１２記載の方法。
【請求項１７】
前記ディスプレイは、現在のコンテンツ保護モードに関連するステータス情報を提供する、請求項１２記載の方法。
【請求項１８】
前記制御情報は安全な通信チャネルを通して提供される、請求項１２記載の方法。
【請求項１９】
前記関連する制御情報は、距離延長データケーブル（ＥＤＤＣ）チャネルにしたがって提供される、請求項１８記載の方法。
【請求項２０】
前記関連する制御情報は、ディスプレイデータチャネル／コマンドインターフェイス（ＤＤＣ／ＣＩ）にしたがって提供される、請求項１９記載の方法。
【請求項２１】
前記関連する制御情報は、モニター制御コマンドセット（ＭＣＣＳ）にしたがって提供される、請求項１９記載の方法。
【請求項２２】
前記関連する制御情報は、拡張ディスプレイ識別データ（ＥＤＩＤ）にしたがって提供される、請求項１９記載の方法。
【発明の詳細な説明】
【発明の分野】
【０００１】
本発明は情報取扱システムの管理および配備に関連し、さらに詳細には、保護されたデジタルコンテンツ制御情報の管理および表示に関連する。
【発明の背景】
【０００２】
情報の価値と使用とが増大を続ける中、個人および企業は情報を処理し記憶するための付加的な方法を求めている。ユーザにとって利用可能な１つのオプションは情報取扱システムである。情報取扱システムは一般的に、企業、個人または他の目的のための情報またはデータを処理し、編集し、記憶し、および／または通信し、それによってユーザが情報の価値を利用可能になる。技術と情報取扱のニーズと要求は異なるユーザまたは適用ごとに変わるので、何の情報が処理され、記憶され、通信されるか、どれほどすばやく効果的に情報が処理され、記憶され、通信されるかによって情報取扱システムも変化する。情報取扱システムの変形により、情報取扱システムは一般的になり、または金融取引処理、航空便予約、企業データ記憶、グローバル通信のような特定のユーザまたは特定の用途のために構成することが可能になる。加えて、情報取扱システムはさまざまなハードウェアおよびソフトウェア構成部品を含んでいてもよく、それらの構成部品は情報を処理し、記憶し、通信するよう構成され、情報取扱システムは１以上のコンピュータシステム、データ記憶システム、ネットワーキングシステムを含んでいてもよい。情報取扱システムは、情報を発生させ、管理する、ハードウェア構成部品およびソフトウェアアプリケーションの両方の能力を継続的に改善する。
【０００３】
これらの前進は、高品質デジタル情報、特に高解像度ビデオおよびオーディオコンテンツを消費者デバイスに伝達することの展望を現実へと変えた。消費者は現在では、彼らが望む時と場所で、パーソナルコンピュータ（ＰＣ）、高解像度ＴＶ（ＨＤＴＶ）、ＤＶＤプレーヤー、デジタルビデオレコーダー（ＤＶＲ）、またはポータブルデバイスでさえもを通して、高解像度コンテンツに容易にアクセスすることができる。
【０００４】
コンテンツ所有者は、広い配給チャネルにわたって、これらの技術の使用によって創出された、新しいビジネスの機会を利用したがっているが、彼らは、彼らのプレミアムコンテンツが認証されないコピーおよび再配給から確実に保護されることも望んでいる。既存のデジタル権利管理（ＤＲＭ）および／または条件アクセス解法は、デジタルコンテンツを保護し、ビジネスモデルを閉じられたネットワーク中で可能にするが、それらは多くの異なるタイプの消費者デバイスを備える、開かれた環境では適用できない。
【０００５】
同時に、広帯域デジタルコンテンツ保護（ＨＤＣＰ）を含む、数多くのコンテンツ制御解法が提案され、または実施されている。依然としてこれらの解法は、付随する問題を有しており、現在、コンテンツ制御ステータスメッセージを伝達できる解法はない。
【０００６】
ＨＤＣＰ仕様は、２つのＨＤＣＰ可能なデバイスの間でデジタルビジュアルインターフェイス（ＤＶＩ）または高解像度マルチメディアインターフェイス（ＨＤＭＩ）接続を使用して送信される、デジタルビデオおよびオーディオ信号の暗号化および保護に使用される。送信デバイス（例えば、ＤＶＤプレーヤーまたはＨＤＴＶチューナー）は送出デジタル信号をＨＤＣＰ仕様および共通暗号鍵を使用して暗号化し、ＤＶＩまたはＨＤＭＩ接続経由で受信デバイス（例えば、ＨＤＴＶ等）へと、その信号を伝達する。
【０００７】
受信デバイスは、ＨＤＣＰ規格を使用して、到来信号をデコードし、その関係するコンテンツ制御パラメーター内で許可されたものとして信号を使用する。デジタルコンテンツ自体は、ＨＤＣＰ暗号化を含まないことに注意すべきである。代わりに、暗号化および解読化は接続されたＨＤＣＰ可能なデバイス自体（例えば、ＨＤＴＶチューナー、ＨＤＴＶ等）によって実行される。
【０００８】
しかしながら、ＨＤＣＰ仕様は、ディスプレイデバイスの保護されたコンテンツ制御能力、コンテンツを保護するのに使用されるデジタル証明書および／または鍵、ならびに現在動作中のコンテンツ制御モードのような、ステータスメッセージをユーザに通信する能力を提供しない。
【０００９】
例えば、ＨＤＣＰ送信デバイス（例えば、ＨＤＴＶチューナー）が受信デバイス（例えば、ＨＤＴＶ）に取り付けられているとき、送信デバイスはデジタル信号を送信して、受信デバイスがＨＤＣＰ可能か否かを決定する。受信デバイスがＨＤＣＰ可能である場合は、２つのデバイスはお互いに同期し、安全なデジタル接続を確立する。受信デバイスがＨＤＣＰ可能でない場合、送信デバイスはＨＤＣＰ接続を確立することができず、ユーザは空白スクリーン、または、あったとしてもスクランブル信号を見るだけである。
【００１０】
そのようなシナリオは、装置の誤動作を疑うユーザを容易に混乱させ、不満にすることがあり、これは、必要のない、時間を浪費する、費用のかかるサポート電話をすることになる。現在では、コンテンツ制御情報をディスプレイ上のステータスメッセージとして、ユーザが見ることができる装置または方法は存在しない。
【発明の概要】
【００１１】
本発明の方法および装置は、保護されたデジタルコンテンツに関係する制御情報を決定し、関連するステータスメッセージを送信デバイスのディスプレイ制御パネルおよび／または受信デバイスのオンスクリーンディスプレイ（ＯＳＤ）にユーザによる閲覧のために伝達することができる。ステータス情報は、これらに限定されないが、ディスプレイデバイスの保護されたコンテンツ制御能力、コンテンツを保護するために使用されるデジタル証明書および／または鍵、現在使用中であるコンテンツ制御モードを含むことができる。
【００１２】
本発明の１つの実施形態では、デジタルケーブル放送または高解像度媒体（例えば、ブルーレイ（登録商標）ＤＶＤ）から発生しているような、保護されたコンテンツの表示は、コンテンツ送信デバイス（例えば、ＨＤＴＶチューナー）の保護されたデジタルディスプレイ出力と、コンテンツ受信デバイス（例えば、ＨＤＴＶ）の保護されたデジタルディスプレイ入力との間の安全な接続の実施を通して制御される。保護されたコンテンツを表示する受信デバイスの能力は、受信デバイスの保護されたデジタルディスプレイ入力のサポートによって制限されている。
【００１３】
技術に熟練した者は、広帯域幅デジタルコンテンツ保護（ＨＤＣＰ）のような、デジタルディスプレイ用のコンテンツ保護システムは、そのようなメカニズムを提供できるが、ユーザがディスプレイ上で閲覧することができる、関連するステータスメッセージを伝達する規定を含み損ねていることに気づくであろう。
【００１４】
例えば、デジタルビジュアルインターフェイス（ＤＶＩ）デバイスがＨＤＣＰをサポートするロジックを含んでいるか否かをユーザに視覚的に知らせるものはない。この例では、コンテンツを閲覧する試みが行われるまでに、ＨＤＣＰ保護されたコンテンツがＤＶＩデバイスによって表示可能であるか否かを、視覚的に確認する手段は存在しない。さらに、ＤＶＩデバイスがＨＤＣＰをサポートしていない場合、ユーザには空白スクリーン、または、スクランブル信号が提示される。混乱し不満になったユーザは、誤解して装置の誤動作を疑うかもしれず、これは、必要のない、時間を浪費する、費用のかかるサポート電話をすることになる。
【００１５】
本発明の１つの実施形態では、実装下の保護されたデジタル出力仕様にしたがって送信デバイスによって報告される安全なリンクの状態に基づいて、保護されたコンテンツ制御情報は、ディスプレイデバイスドライバによって送信される。この実施形態では、コンテンツ保護モード、ディスプレイデバイスステータス、および他の関係する情報は、ディスプレイデータチャネル／コマンドインターフェイス（ＤＤＣＩ／ＣＩ）を使用してディスプレイデバイスに伝達される。ディスプレイデータチャネル／コマンドインターフェイス（ＤＤＣＩ／ＣＩ）は、距離延長データケーブル（ＥＤＤＣ）チャネルでのホストとディスプレイとの間の２方向通信のためのビデオ機器標準化協会（ＶＥＳＡ）規格である。
【００１６】
本発明の実施形態の１つの変形では、コマンドコードを規定するＶＥＳＡ規格である、モニター制御コマンドセット（ＭＣＣＳ）で、情報がデジタルディスプレイに伝達される。コマンドコードは、ＤＤＣ／ＣＩを使用してディスプレイに送信することができる。ＭＣＣＳｖ２は、製造者に特定のコマンドコードの規定を含んでいる。これらの製造者に特定のコマンドコードは、予め知られた、コンテンツ保護情報ステータスメッセージをデジタルディスプレイに伝達するのに使用することができる。
【００１７】
当業者は、まったく包括的ではなく、上で説明されたものを含むが、それに限定されない、本発明の多くのそのような実施形態および変形が可能であることを理解する。
【００１８】
本発明は、添付している図面を参照することにより、さらによく理解され、その数多くの目的、特徴および利点は当業者にとって、明らかになるだろう。いくつかの図を通しての同一参照番号の使用は、同じまたは、類似のエレメントを示す。
【詳細な説明】
【００１９】
図１は本発明の方法および装置を実施するのに使用することができる情報取扱システム１００の一般化された図である。情報取扱システムはプロセッサ１０２と、ディスプレイ、キーボード、マウス、関係するコントローラのような、入／出力（Ｉ／Ｏ）デバイス１０４と、ハードディスクドライブ１０６と、フロッピー（登録商標）ディスクおよびドライブならびに他のメモリデバイスのような、他の記憶デバイス１０８と、さまざまな他のサブシステム１１０とを含んでおり、すベてが１以上のバス１１２で相互接続されている。
【００２０】
本発明の実施形態では、Ｉ／Ｏデバイス１０４は送信デバイス１１４（例えば、デジタルディスプレイ出力アダプタ）を具備し、送信デバイス１１４は複数の受信デバイス１２４（例えば、デジタルディスプレイ）と相互作用することができるデジタルコンテンツ保護システム１１６を備え、受信デバイス１２４は補完的デジタルコンテンツ保護システム１２６を含み、保護されたデジタルコンテンツの通信のための安全なチャネルを創出する。ここで以下でより詳細に説明するように、デジタルケーブル１２２を通して、送信デバイス１１４の保護されたデジタル出力１１８から受信デバイス１２０の保護されたデジタル入力１２０への接続を実現することによって安全なチャネルを確立することができる。
【００２１】
この開示の目的のために、情報取扱システムは、ビジネス、科学、制御、または他の目的のために、何らかの形態の情報、知識、またはデータを計算し、分類し、処理し、送信し、受信し、検索し、発生させ、記憶し、表示し、明示し、検出し、記録し、再生し、取り扱い、または利用するように動作可能な何らかの手段あるいは手段の集合体を含んでいてもよい。例えば、情報取扱システムは、パーソナルコンピュータ、ネットワーク記憶デバイス、または他の何らかの適切なデバイスであってもよく、サイズ、形状、性能、機能性および価格が変化してもよい。情報取扱システムは、ランダムアクセスメモリ（ＲＡＭ）、中央処理ユニット（ＣＰＵ）またはハードウェアもしくはソフトウェア制御ロジックのような１以上の処理リソース、ＲＯＭ、および／または他のタイプの不揮発性メモリを含むことができる。情報取扱システムのさらなる構成部品は、１以上のディスクドライブ、外部デバイスと通信する１つ以上のネットワークポートと共に、キーボード、マウス、およびビデオディスプレイのようなさまざまな入出力（Ｉ／Ｏ）デバイスを含んでいてもよい。情報取扱システムはまた、さまざまなハードウェア構成部品間で通信を送信可能な１以上のバスを含んでいてもよい。
【００２２】
図２はデジタルコンテンツ配給者２００とデジタルコンテンツ消費者２１２との間で保護されたデジタルコンテンツを伝達するシステムの1つの実施形態の一般的な図である。この実施形態では、デジタルコンテンツ配給者は、アップストリームコンテンツ制御機能２０２を実行し、アップストリームコンテンツ制御機能２０２は、デジタルコンテンツがその元で使用されることができる取引条件を特定し、コンテンツ保護システム２０４に伝達する。例えばこれらの取引条件は、これらに限定されないが、デジタルコンテンツをコピーすることができるか否か、およびコピーが許可されている場合は、何回までどの解像度まで許可されているかを含んでいてもよい。
【００２３】
これ以降により詳細に説明するように、コンテンツ保護システム２０４は、複数の送信デバイス２０６、中継／受信デバイス２０８、および受信デバイス２１０からなり、これらはデジタルコンテンツ消費者２１２によって使用される。
【００２４】
この実施形態では、アップストリームコンテンツ制御機能は、コンテンツ制御情報を送信デバイス２０６に伝達し、送信デバイス２０６は受信デバイス２１０または中継／受信デバイス２０８との安全な接続を確立しようとし、中継／受信デバイス２０８は、複数のダウンストリーム受信デバイス２１０と安全な接続を確立することができ、送信デバイス２０６は、受信デバイス２１０および／または中継／受信デバイスが安全な接続を確立することができるということを確認する。安全な接続が確立された場合は、保護されたデジタルコンテンツは、受信デバイス２１０または中継／受信デバイス２０８を通して、デジタルコンテンツ消費者２１２に伝達される。
【００２５】
図３は、保護されたデジタルコンテンツ３００のコンテンツ保護システム３１２（例えば、消費者の家庭）への配給のためのシステムの１つの実施形態の一般化された図である。
【００２６】
この実施形態では、保護されたコンテンツ３００の配給は、多数の方法で達成されてもよい。例えば、衛星放送を通しての送信３０２、地上無線放送を通しての送信３０４、ワイヤレスデジタルネットワークを通しての送信３０６、地上ケーブルネットワークを通しての配信３０８、地上デジタルネットワークを通しての配信３１０、または、予め記録された光媒体を通して届けることができる。当業者は、上記で参照された例は包括的なものではなく、上記で参照された例の組み合わせおよび拡張を含む、他の多くの方法が可能であることを理解する。
【００２７】
この実施形態では、実施される配給方法に関わらず、保護されたデジタルコンテンツ３００は、その関連コンテンツ制御情報とともに、保護されたコンテンツ送信デバイス３１６に伝えられる。保護されたコンテンツ送信デバイス３１６は、デジタルケーブル３２０を通して、保護されたコンテンツ受信デバイス３１８との、安全なデジタル接続を確立する。
【００２８】
図４は、デジタルコンテンツ保護システムの１つの実施形態の一般化された図である。以下でさらに詳細に説明されているが、広帯域幅デジタルコピー保護（ＨＤＣＰ）コンテンツ制御情報およびシステム継続可能メッセージ４００と組み合わされた、保護されたデジタルコンテンツは、図２および図３中でより大局的に図解されているように、ＨＤＣＰ送信デバイス４０２に伝達される。
【００２９】
ＨＤＣＰ送信デバイス４０２は、これらに限定されないが、ムービングピクチャーズエキスパートグループ（ＭＰＥＧ）デコーダチップ４０４および高解像度マルチメディアインターフェイス（ＨＤＭＩ）送信機チップ４０８を具備し、保護されたデジタル出力ポート４１４を通して、保護されたデジタルコンテンツを伝達する。
【００３０】
保護されたデジタルコンテンツおよび関連する制御情報４００はＭＰＥＧデコーダチップ４０４を通してルーティングされ、ＭＰＥＧデコーダチップ４０４は、コンテンツストリームをタイミングおよびオーディオ信号４０６ならびにビデオ信号４１０（例えば、２４ビットＲＧＢまたはＢＴ．６５６／６０１）にデコードする。タイミングおよびオーディオ信号４０６ならびにビデオ信号４１０はさらにＨＤＭＩ送信機チップ４０８にルーティングされる。この実施形態では、コンテンツ制御情報はＨＤＭＩ送信チップ４０８内でＨＤＣＰ暗号化される４１２。結果として得られたＨＤＣＰ暗号化コンテンツストリームは、ＨＤＭＩデジタルケーブル４１６に接続されている、保護されたデジタル出力４１４にルーティングされる。ＨＤＭＩデジタルケーブル４１６はさらにＨＤＣＰ受信デバイス４２０の保護されたデジタル入力４１８に接続されている。
【００３１】
一度ＨＤＣＰ暗号化コンテンツストリームが、保護されたデジタル入力４１８によって受信されると、それはＨＤＭＩ受信チップ４２２にルーティングされる。この実施形態では、ＨＤＣＰ暗号化コンテンツストリームはＨＤＣＰ解読能力４２６によって、タイミングおよびオーディオ信号４２４ならびにビデオ信号４２８（例えば、２４ビットＲＧＢまたはＢＴ．６５６／６０１）にデコードされる。タイミングおよびオーディオ信号４２４ならびにビデオ信号４２８は、ＨＤＣＰ受信デバイスによって、ユーザへのビデオとオーディオのプレゼンテーションのために使用される。
【００３２】
図５は、デジタルコンテンツ保護システムの１つの実施形態中で実施される、本発明の１つの実施形態の一般化された図である。以下でさらに詳細に説明する、ＨＤＣＰコンテンツ制御情報およびシステム継続可能メッセージ５００と組み合わされた保護されたデジタルコンテンツは、図２および図３ならびに図４中でより大局的に図解されているように、ＨＤＣＰ送信デバイス５０２に伝達される。
【００３３】
経験のある技術者は、ＨＤＣＰは、ＨＤＭＩのトップに階層化されるとき、ＨＤＣＰ送信デバイスの保護された出力とＨＤＣＰ受信デバイスの保護された入力との間の安全な接続を創出するという事実を学ぶだろう。
【００３４】
現在のＨＤＣＰ仕様は、３つのフェーズの認証と鍵交換手続とを記述しており、鍵交換手続は、各デバイスが、秘密４０ビット鍵選択ベクトル（ＫＳＶ）とアレイまたは４０の秘密５６ビットデバイス鍵とによって識別されることを要求する。ＫＳＶ中の各ビットは４０のデバイス鍵の１つに対応している。ＨＤＣＰに準拠した各送信、中継／受信、および受信デバイスは、これらのデータエレメントの両方を安全な、内部位置に永続的に記憶する。
【００３５】
ＨＤＣＰは、システム継続可能メッセージの使用を通して、認証されていないデバイスを自動的に除外する、継続可能機能も説明している。本発明のこの実施形態では、すべての関わりのあるデバイスは、現在のシステム継続可能メッセージに対してチェックされるときに有効であると証明されていると仮定すると、記憶されたデータエレメントが一連の鍵交換中に使用され、すべての関わりのあるＨＤＣＰデバイスをお互いに認証するために暗号操作が起こる。
【００３６】
一度デバイスがお互いの完全性および認証性を確信すると、これらには限定されないが、ＭＰＥＧデコーダチップ５０４およびＨＤＭＩ送信機チップ５０８を具備するＨＤＣＰ送信デバイス５０２は、保護されたデジタル出力ポート５１４を通して保護されたデジタルコンテンツの伝達を開始することができる。保護されたデジタルコンテンツおよび関連する制御情報５００は、ＭＰＥＧデコーダチップ５０４を通してルーティングされる。ＭＰＥＧデコーダチップ５０４はコンテンツストリームをタイミングおよびオーディオ信号５０６ならびにビデオ信号５１０（例えば、２４ビットＲＧＢまたはＢＴ．６５６／６０１）にデコードする。タイミングおよびオーディオ信号５０６ならびにビデオ信号５１０はさらにＨＤＭＩ送信機チップ５０８にルーティングされる。この実施形態では、コンテンツ制御情報はＨＤＭＩ送信チップ５０８内でＨＤＣＰ暗号化される５１２。
【００３７】
結果として得られたＨＤＣＰ暗号化コンテンツストリームは、保護されたデジタル出力５１４にルーティングされ、デジタル出力５１４はＨＤＭＩデジタルケーブル５１６に接続され、ＨＤＭＩデジタルケーブル５１６はさらにＨＤＣＰ受信デバイス５２２の保護されたデジタル入力５１８に接続されている。一度ＨＤＣＰ暗号化コンテンツストリームが保護されたデジタル入力５１８によって受信されると、それはＨＤＭＩ受信チップ５２２にルーティングされる。この実施形態では、ＨＤＣＰ暗号化コンテンツストリームはＨＤＣＰ解読能力５２６によって、タイミングおよびオーディオ信号５２４ならびにビデオ信号５２８（例えば、２４ビットＲＧＢまたはＢＴ．６５６／６０１）にデコードされる。タイミングおよびオーディオ信号５２４ならびにビデオ信号５２８は、ＨＤＣＰ受信デバイスによって、ユーザへのビデオとオーディオのプレゼンテーションのために使用される。
【００３８】
しかしながら、この実施形態では、これらのデータエレメントのステータス、および関連する継続可能メッセージは、本発明を実施することなく表示できない。
【００３９】
技術に熟練した者は、ディスプレイデータチャネル／コマンドインターフェイス（ＤＤＣ／ＣＩ）、距離延長データケーブル（ＥＤＤＣ）チャネルを通してのホストとディスプレイ間の２方向通信のためのＶＥＳＡ（ビデオ機器標準化団体）規格について知識がある。熟練した技術従業者は、モニター制御コマンドセットｖ２（ＭＣＣＳｖ２）、コマンドコードを規定する無料ＶＥＳＡ規格についても等しく知識がある。このコマンドコードは、ＤＤＣ／ＣＩを利用してディスプレイへと送信される、製造者特定コマンドコードの規定を含んでいる。技術の高い知識のある者は、拡張ディスプレイ識別データ（ＥＤＩＤ）、ディスプレイデバイスおよびその能力に関する基本的な情報を含む、ＶＥＳＡ規格のデータフォーマットに関しても学ぶだろう。基本的な情報は、これらに限定されないが、販売者情報、最大イメージサイズ、色特性、工場プリセットのタイミング、周波数範囲限界、ならびにモニター名称およびシリアル番号に対する文字列を含んでいる。
【００４０】
ＥＤＩＤ情報はディスプレイ中に記憶され、ＤＤＣ／ＣＩを通してホストと通信するのに使用され、上でより詳細に説明したように、ＤＤＣ／ＣＩは、デジタルディスプレイ受信デバイスおよび送信デバイスの間に存在する。
【００４１】
本発明のこの実施形態では、ＤＤＣ／ＣＩ５３６の能力と、ＭＣＣＳ５３８の能力とが共に使用されて、ＥＤＩＤ５４４の情報をディスプレイデバイスドライバ５３４に伝達する。ＥＤＩＤ５４４の情報は、関連するリンクステータス５４２と組み合わされた、受信デバイスのタイプおよび能力５４８と、コンテンツ保護モードステータスメッセージ５５２とを含んでいる。コンテンツ保護モードステータスメッセージ５５２は、送信デバイス５０２のディスプレイ制御パネル５５４で提示することが可能である。
【００４２】
同時に受信デバイス鍵および認証が、ＨＤＭＩ送信機チップ５０８に伝達される。ＨＤＭＩ送信機チップ５０８は、ＨＤＣＰ暗号化５１２の能力と相互作用して、暗号ハッシュ有効性、システム継続可能性、および暗号化ステータス５３０をディスプレイデバイスドライバ５３４に返す。この情報は、ディスプレイデバイスドライバ５３４によってＨＤＣＰ送信デバイス５０２のディスプレイ制御パネル５５４に直接提示することができ、または、ＤＤＣ／ＣＩ５３６およびＭＣＣＳ５３８の組み合わされた能力をＥＤＤＣチャネル５３４と共に使用して、ＨＤＣＰ受信デバイス５２２のオンスクリーンディスプレイ５４０に提示することができる。
【００４３】
反対に、ディスプレイデバイスドライバ５３４は、ＨＤＣＰ受信デバイス５２２のＨＤＭＩ受信チップ５２２およびオンスクリーンディスプレイ（ＯＳＤ）５４０に対する同時プレゼンテーションのために、暗号ハッシュ有効性、システム継続可能性、およびコンテンツ保護モードおよびステータスメッセージ５４６と組み合わされた暗号化ステータス５３０メッセージを、ＤＤＣ／ＣＩ５３６およびＭＣＣＳ５３８の組み合わされた能力をＥＤＤＣチャネル５３４と共に使用して伝達することができる。
【００４４】
図６は、ディスプレイ制御パネル６００またはオンスクリーンディスプレイ６００上での、保護されたデジタルコンテンツ情報の表示のための、本発明の１つの実施形態の一般化された図である。この実施形態では、使用中であるコピー保護モード６０２が表示される。例えば、コピー保護「オン」６０４またはコピー保護「オフ」６０６を表示することができる。この同じ実施形態では、コピー保護ステータス６０８を表示することができる。例えば、認証「失敗」６１０または認証「通過」６１２を表示することができる。同様に、デバイス鍵「無効」６１４、あるいはデバイス鍵「有効」を、保護されたデジタル接続「はい」６１８、または保護されたデジタル接続「いいえ」と共に表示することができる。技術に熟練した者は、多くの異なる、および関連するメッセージを、さまざまなテキストまたはグラフィカルモードで、それらがユーザに提示される方法と同様に、表示できることを理解する。
【００４５】
技術に熟練した者は、他のデジタルコンテンツ保護システムに基づいた、本発明の多くの他の実施形態および変形が可能であることを理解する。他のデジタルコンテンツ保護システムは、これらに限定されないが、記録可能媒体用コンテンツ保護（ＣＰＲＭ）、またはデジタル送信コンテンツ保護（ＤＴＣＰ）を含む。加えて、本発明のこの実施形態中で参照された構成部品のそれぞれは、複数の構成部品からなり、それぞれの構成部品は分散環境中の他の構成部品と相互作用してもよい。さらに、本発明の他の実施形態は、システムの実施の規模と到達範囲を拡張させるため、参照された実施形態において拡大してもよい。
【００４６】
少なくとも、本発明は保護されたデジタルコンテンツ制御情報を決定し、コンテンツ保護システム内の関連するステータスメッセージを、受信デバイスのオンスクリーンディスプレイ（ＯＳＤ）および送信デバイスのグラフィック制御パネルに、ユーザによる閲覧のために伝達する方法および装置を提供し、保護されたデジタルコンテンツ制御情報は、これらに限定されないが、ディスプレイデバイスのコピー制御能力、コンテンツ保護鍵ステータス、および現在のコンテンツ保護モードを含む。さらに、本発明の使用はユーザにとっての潜在的な混乱および不満を減少させることができる。ユーザはさもなければ、装置の誤動作を疑い、これは、必要のない、時間を浪費する、費用のかかるサポート電話をすることとなる。
【００４７】
本発明を詳細に説明したが、付属の特許請求の範囲により定義された本発明の精神と範囲を逸脱することなく、本発明に対して、さまざまな変更、置換、改変をなし得ることが理解されるべきである。
【図面の簡単な説明】
【００４８】
【図１】図１は、本発明の方法および装置を実施するために使用可能な、情報取扱システムの一般化された図である。
【図２】図２は、デジタルコンテンツ配給者とデジタルコンテンツ消費者との間の保護されたデジタルコンテンツの伝達のためのシステムの１つの実施形態を図解する。
【図３】図３は、保護されたデジタルコンテンツのコンテンツ保護システムへの配給のためのシステムの1つの実施形態の一般化された図である。
【図４】図４は、デジタルコンテンツ保護システムの１つの実施形態を図解する。
【図５】図５は、デジタルコンテンツ保護システムの１つの実施形態中で実施される、本発明の１つの実施形態の一般化された図である。
【図６】図６は、ディスプレイ制御パネルまたはオンスクリーンディスプレイ上での、保護されたデジタルコンテンツ情報の表示のための、本発明の１つの実施形態の一般化された図である。
【図１】
2007043659.tif 000003
【図２】
2007043659.tif 000004
【図３】
2007043659.tif 000005
【図４】
2007043659.tif 000006
【図５】
2007043659.tif 000007
【図６】
2007043659.tif 000008
【外国語明細書】
2007043659000001.pdf